(57)【要約】【課題】商用電源からの給電状態を直接検知することなく、商用電源からの給電が途切れる虞がある場合に確実に蓄電池からの給電が可能な無停電電源装置及び無停電電源装置の制御方法を提供する。【解決手段】商用電源から入力される交流電圧を第１の直流電圧ＤＣ１９０Ｖに変換して直流バスに出力するＡＣ／ＤＣコンバータと、直流バスから入力される直流電圧を所定の交流電圧ＡＣ１００Ｖに変換して出力するＤＣ／ＡＣコンバータと、蓄電池と、蓄電池の出力電圧を第２の直流電圧ＤＣ１７０Ｖに変換して直流バスに出力するＤＣ／ＤＣコンバータと、商用電源の停電時にＤＣ／ＤＣコンバータから直流バスに給電するように構成され、直流バス電圧の低下を検知すると、直流バス電圧がＤＣ／ＡＣコンバータの入力許容最低電圧ＤＣ１５０Ｖに低下する前にＤＣ／ＤＣコンバータを作動させる制御部を備えた無停電電源装置。【選択図】図２
2017051017.tif 000002
【特許請求の範囲】
【請求項１】
商用電源から入力される交流電圧を第１の直流電圧に変換して直流バスに出力するＡＣ／ＤＣコンバータと、前記直流バスから入力される直流電圧を所定の交流電圧に変換して出力するＤＣ／ＡＣコンバータと、蓄電池と、前記蓄電池の出力電圧を第２の直流電圧に変換して前記直流バスに出力するＤＣ／ＤＣコンバータと、商用電源の停電時に前記ＤＣ／ＤＣコンバータから前記直流バスに給電するように構成されている無停電電源装置であって、
前記ＡＣ／ＤＣコンバータの作動中に前記直流バス電圧の低下を検知すると、前記直流バス電圧が前記ＤＣ／ＡＣコンバータの入力許容最低電圧に低下する前に前記ＤＣ／ＤＣコンバータを作動させる制御部を備えている無停電電源装置。
【請求項２】
前記第２の直流電圧は前記第１の直流電圧よりも低い値で前記入力許容最低電圧より高い値に設定され、前記制御部は前記ＡＣ／ＤＣコンバータの作動中に前記直流バス電圧が前記第１の直流電圧と前記入力許容最低電圧との間に設定された所定の下限閾値電圧に低下すると、前記ＤＣ／ＤＣコンバータを作動制御するように構成されている請求項１記載の無停電電源装置。
【請求項３】
前記第２の直流電圧が前記第１の直流電圧よりも低い値で前記入力許容最低電圧より高い値に設定され、前記所定の下限閾値電圧が前記第２の直流電圧に設定されている請求項２記載の無停電電源装置。
【請求項４】
前記制御部は前記ＤＣ／ＤＣコンバータの作動中に前記直流バス電圧が前記第２の直流電圧より高い所定の上限閾値電圧に上昇すると、前記ＤＣ／ＤＣコンバータを停止制御する請求項１から３の何れかに記載の無停電電源装置。
【請求項５】
前記制御部は前記ＤＣ／ＤＣコンバータの作動中に前記直流バス電圧が前記第２の直流電圧より高い所定の上限閾値電圧に上昇すると、所定の遅延時間の経過後に前記ＤＣ／ＤＣコンバータを停止制御する請求項１から３の何れかに記載の無停電電源装置。
【請求項６】
前記制御部は前記ＤＣ／ＤＣコンバータを作動制御して所定時間経過後に交流入力の停止を検知すると前記ＡＣ／ＤＣコンバータを停止制御する請求項１から５の何れかに記載の無停電電源装置。
【請求項７】
商用電源から入力される交流電圧を第１の直流電圧に変換して直流バスに出力するＡＣ／ＤＣコンバータと、前記直流バスから入力される直流電圧を所定の交流電圧に変換して出力するＤＣ／ＡＣコンバータと、蓄電池と、前記蓄電池の出力電圧を第２の直流電圧に変換して前記直流バスに出力するＤＣ／ＤＣコンバータと、商用電源の停電時に前記ＤＣ／ＤＣコンバータから前記直流バスに給電するように構成されている無停電電源装置の制御方法であって、
前記ＡＣ／ＤＣコンバータの作動中に前記直流バス電圧の低下を検知すると、前記直流バス電圧が前記ＤＣ／ＡＣコンバータの入力許容最低電圧に低下する前に前記ＤＣ／ＤＣコンバータを作動させるように構成されている無停電電源装置の制御方法。
【発明の詳細な説明】
【技術分野】
【０００１】
本発明は、商用電源から入力される交流電圧を第１の直流電圧に変換して直流バスに出力するＡＣ／ＤＣコンバータと、前記直流バスから入力される直流電圧を所定の交流電圧に変換して出力するＤＣ／ＡＣコンバータと、蓄電池と、前記蓄電池の出力電圧を第２の直流電圧に変換して前記直流バスに出力するＤＣ／ＤＣコンバータと、商用電源の停電時に前記ＤＣ／ＤＣコンバータから前記直流バスに給電するように構成されている無停電電源装置及び無停電電源装置の制御方法に関する。
【背景技術】
【０００２】
特許文献１には、交流電源が停電した場合に、複数のバッテリと、バッテリからの直流を交流に変換するインバータと、商用電源が正常か否かにより商用電源からの電力または前記インバータからの電力を負荷装置に供給する給電切替スイッチと、前記バッテリを充電する充電器と、前記複数のバッテリのそれぞれを前記インバータに接続する放電切替スイッチと、前記複数のバッテリのそれぞれを前記充電器に接続する充電切替スイッチとを備えた無停電電源装置が開示されている。
特許文献２には、交流電源が停電した場合に、バッテリを電源として負荷に安定化直流電圧を供給する無停電電源装置に関し、動作の安定化並びに構成の簡単化を図ることを目的として、交流電源を電源として動作する第１のコンバータと、バッテリを電源として動作する第２のコンバータとを備え、第１，第のコンバータの直流出力端子を共通に接続し、その直流出力端子間に、シャントレギュレータと直列又は並列の発光ダイオードとを接続した出力電圧検出部を設け、交流電源が停電から復電した時に出力電圧の低下を回避するために、動作を開始した第１のコンバータのスイッチング素子と、動作中の第２のコンバータのスイッチング素子とを出力電圧検出部の検出信号によって同時的にオン，オフ制御するように構成された無停電電源装置が開示されている。
【先行技術文献】
【特許文献】
【０００３】
【特許文献１】特開２００４−３３６９７０号公報
【特許文献２】特開平９−４６９２９号公報
【発明の概要】
【発明が解決しようとする課題】
【０００４】
しかし、特許文献１に記載された無停電電源装置は、商用電源の電圧を検知してその結果に基づいて停電か否かを検知する構成であるため、実際に停電した後にバッテリからイバータを介して交流電力を給電するまでに時間遅れが発生し、瞬時的に無停電電源装置から出力される交流電力が途切れる虞があった。
【０００５】
特許文献２に記載された無停電電源装置の停電検知回路も、商用電源の電圧を検知して停電や復電を判断するように構成されているために、ある程度の時間遅れが生じて、無停電電源装置から出力される直流電力が途切れる虞があった。
【０００６】
近年、停電時でも出力が途切れないように、常時インバータ駆動方式の無停電電源装置が提案されている。当該無停電電源装置は、商用電源から入力される交流電圧を第１の直流電圧に変換して直流バスに出力するＡＣ／ＤＣコンバータと、前記直流バスから入力される直流電圧を所定の交流電圧に変換して出力するＤＣ／ＡＣコンバータと、蓄電池と、前記蓄電池の出力電圧を第２の直流電圧に変換して前記直流バスに出力するＤＣ／ＤＣコンバータと、商用電源の停電時に前記ＤＣ／ＤＣコンバータから前記直流バスに給電するように構成されている。
【０００７】
このような常時インバータ駆動方式の無停電電源装置であっても、商用電源の停電を検知した後に商用電源から蓄電池に電源を切り替えるように構成すると、無停電電源装置から出力される交流電力が瞬時的に途切れる虞があった。商用電源の電圧が完全に停止する場合のみならず、常時電圧が低下する場合、数サイクルの間電圧が途切れる場合等、様々な場合に適切に停電を検知することが不可能なためである。
【０００８】
本発明の目的は、上述した問題点に鑑み、商用電源からの給電状態を直接検知することなく、商用電源からの給電が途切れる虞がある場合に確実に蓄電池からの給電が可能な無停電電源装置及び無停電電源装置の制御方法を提供する点にある。
【課題を解決するための手段】
【０００９】
上述の目的を達成するため、本発明による無停電電源装置の第一の特徴構成は、特許請求の範囲の書類の請求項１に記載した通り、商用電源から入力される交流電圧を第１の直流電圧に変換して直流バスに出力するＡＣ／ＤＣコンバータと、前記直流バスから入力される直流電圧を所定の交流電圧に変換して出力するＤＣ／ＡＣコンバータと、蓄電池と、前記蓄電池の出力電圧を第２の直流電圧に変換して前記直流バスに出力するＤＣ／ＤＣコンバータと、商用電源の停電時に前記ＤＣ／ＤＣコンバータから前記直流バスに給電するように構成されている無停電電源装置であって、前記ＡＣ／ＤＣコンバータの作動中に前記直流バス電圧の低下を検知すると、前記直流バス電圧が前記ＤＣ／ＡＣコンバータの入力許容最低電圧に低下する前に前記ＤＣ／ＤＣコンバータを作動させる制御部を備えている点にある。
【００１０】
制御部は商用電源の停電を検知することなく直流バス電圧を監視し、商用電源から受電して直流電圧に変換するＡＣ／ＤＣコンバータの出力電圧が低下したことを検知すると、直流バス電圧がＤＣ／ＡＣコンバータの入力許容最低電圧に低下する前にＤＣ／ＤＣコンバータを作動させて直流バス電圧の低下を回避するので、瞬時的であっても無停電電源装置から交流電圧が途切れることが無い。
【００１１】
同第二の特徴構成は、同請求項２に記載した通り、上述の第一の特徴構成に加えて、前記第２の直流電圧は前記第１の直流電圧よりも低い値で前記入力許容最低電圧より高い値に設定され、前記制御部は前記ＡＣ／ＤＣコンバータの作動中に前記直流バス電圧が前記第１の直流電圧と前記入力許容最低電圧との間に設定された所定の下限閾値電圧に低下すると、前記ＤＣ／ＤＣコンバータを作動制御するように構成されている点にある。
【００１２】
第２の直流電圧は入力許容最低電圧より高い値に設定されているので、仮に前記ＡＣ／ＤＣコンバータが停止してもＤＣ／ＡＣコンバータからの出力電圧に基づいて無停電電源装置から所定の交流電圧を出力することができる。そして、ＡＣ／ＤＣコンバータの作動中に直流バス電圧が第１の直流電圧と入力許容最低電圧との間に設定された所定の下限閾値電圧に低下すると、速やかにＤＣ／ＤＣコンバータが作動制御されるように構成されているので、直流バス電圧が入力許容最低電圧より低下する前にＤＣ／ＤＣコンバータによって第２の直流電圧が供給され、出力交流電圧が途切れたり低下したりすることが無い。
【００１３】
同第三の特徴構成は、同請求項３に記載した通り、上述の第二の特徴構成に加えて、前記第２の直流電圧が前記第１の直流電圧よりも低い値で前記入力許容最低電圧より高い値に設定され、前記所定の下限閾値電圧が前記第２の直流電圧に設定されている点にある。
【００１４】
制御部は、直流バス電圧が第１の直流電圧から第２の直流電圧で低下したことを検知すると、速やかにＤＣ／ＤＣコンバータが作動制御される。
【００１５】
同第四の特徴構成は、同請求項４に記載した通り、上述の第一から第三の何れかの特徴構成に加えて、前記制御部は前記ＤＣ／ＤＣコンバータの作動中に前記直流バス電圧が前記第２の直流電圧より高い所定の上限閾値電圧に上昇すると、前記ＤＣ／ＤＣコンバータを停止制御する点にある。
【００１６】
ＤＣ／ＤＣコンバータが作動制御されているときに、直流バス電圧が第２の直流電圧より高い所定の上限閾値電圧に上昇するとＡＣ／ＤＣコンバータからの給電が復活したと判断してＤＣ／ＤＣコンバータを停止制御し、ＤＣ／ＤＣコンバータへの給電源から不必要に給電されることが無いように保護する。
【００１７】
同第五の特徴構成は、同請求項５に記載した通り、上述の第一から第三の何れかの特徴構成に加えて、前記制御部は前記ＤＣ／ＤＣコンバータの作動中に前記直流バス電圧が前記第２の直流電圧より高い所定の上限閾値電圧に上昇すると、所定の遅延時間の経過後に前記ＤＣ／ＤＣコンバータを停止制御する点にある。
【００１８】
ＤＣ／ＤＣコンバータを停止制御するまでに遅延時間を設けることにより、動作の信頼性を確保することができる。例えば遅延時間の間に直流バス電圧が上限閾値電圧より低下するとＤＣ／ＤＣコンバータを継続して作動制御するのである。
【００１９】
同第六の特徴構成は、同請求項６に記載した通り、上述の第一から第五の何れかの特徴構成に加えて、前記制御部は前記ＤＣ／ＤＣコンバータを作動制御して所定時間経過後に交流入力の停止を検知すると前記ＡＣ／ＤＣコンバータを停止制御する点にある。
【００２０】
直流バス電圧が低下してＤＣ／ＤＣコンバータを作動制御した後の所定時間は継続してＡＣ／ＤＣコンバータが動作するので、例えば瞬時的に商用電源の電圧が低下しても所定時間の間に復活するような場合にはそのままＡＣ／ＤＣコンバータを継続作動させてＤＣ／ＤＣコンバータを停止することができるようになる。ＡＣ／ＤＣコンバータを停止した後に再度作動する場合の電圧の立ち上がり時間が必要になるが、上述の場合には、そのような立ち上がりの遅延時間を考慮する必要がなくなる。
【００２１】
本発明による無停電電源装置の制御方法の特徴構成は、同請求項７に記載した通り、商用電源から入力される交流電圧を第１の直流電圧に変換して直流バスに出力するＡＣ／ＤＣコンバータと、前記直流バスから入力される直流電圧を所定の交流電圧に変換して出力するＤＣ／ＡＣコンバータと、蓄電池と、前記蓄電池の出力電圧を第２の直流電圧に変換して前記直流バスに出力するＤＣ／ＤＣコンバータと、商用電源の停電時に前記ＤＣ／ＤＣコンバータから前記直流バスに給電するように構成されている無停電電源装置の制御方法であって、前記ＡＣ／ＤＣコンバータの作動中に前記直流バス電圧の低下を検知すると、前記直流バス電圧が前記ＤＣ／ＡＣコンバータの入力許容最低電圧に低下する前に前記ＤＣ／ＤＣコンバータを作動させるように構成されている点にある。
【発明の効果】
【００２２】
以上説明した通り、本発明によれば、商用電源からの給電状態を直接検知することなく、商用電源からの給電が途切れる虞がある場合に確実に蓄電池からの給電が可能な無停電電源装置及び無停電電源装置の制御方法を提供することができるようになった。
【図面の簡単な説明】
【００２３】
【図１】本発明による無停電電源装置のブロック構成図
【図２】無停電電源装置に組み込まれた制御部の動作を説明するタイミングチャート
【発明を実施するための形態】
【００２４】
以下、本発明による無停電電源装置及び無停電電源装置の制御方法を図面に基づいて説明する。
図１には、無停電電源装置１の回路ブロック構成が示されている。無停電電源装置１は、商用電源から入力される交流電圧を第１の直流電圧に変換して直流バスＢに出力するＡＣ／ＤＣコンバータ２０と、直流バスＢから入力される直流電圧を所定の交流電圧に変換して出力するＤＣ／ＡＣコンバータ３０と、蓄電池４０と、蓄電池４０の出力電圧を第２の直流電圧に変換して直流バスＢに出力するＤＣ／ＤＣコンバータ５０と、制御部６０とを備えて構成され、商用電源の停電時にＤＣ／ＤＣコンバータ５０から直流バスに給電するように構成されている。
【００２５】
プラグ１０を介して商用電源からＡＣ１００Ｖの交流電力が受電されると、ＡＣ／ＤＣコンバータ２０の一例であるＰＦＣコンバータにより、ＡＣ１００Ｖの交流電圧がＤＣ２００Ｖの直流電圧に変換されて直流バスＢに出力される。
【００２６】
直流バスＢからＤＣ／ＡＣコンバータ３０に入力された直流電圧は、ＤＣ／ＡＣコンバータ３０に備えたトランジスタフルブリッジ回路によって交流電圧に変換され、ＬＣフィルタ回路を介して高周波成分が除去され、正弦波の交流電圧ＡＣ１００Ｖが出力される。
【００２７】
トランジスタフルブリッジ回路はハイサイドとローサイドの２つのトランジスタが直列接続された一対のアームで構成され、それぞれの接続点を一対の出力端子とする回路構成で、一方のハイサイドトランジスタと他方のローサイドトランジスタを導通させた後に、他方のハイサイドトランジスタと一方のローサイドトランジスタを導通させるように交互にスイッチングすることにより、交流波形が生成される。各トランジスタはＰＷＭ制御されて所定の電圧、所定の周波数の交流電圧が生成される。
【００２８】
ＤＣ／ＡＣコンバータ３０で商用電源のＡＣ１００Ｖと同じ交流電圧を生成するためには、少なくとも直流バス電圧がＤＣ１４１Ｖ以上である必要があり、電圧変動を考慮すると、最低でもＤＣ１５０Ｖを確保する必要がある。
【００２９】
商用電源が停電してＡＣ／ＤＣコンバータ２０の出力電圧がＤＣ１５０Ｖを下回るとＤＣ／ＡＣコンバータ３０からＡＣ１００Ｖの交流電圧を出力することができなくなる。
【００３０】
そのような場合にＤＣバスＢに接続されたＤＣ／ＤＣコンバータ５０からＤＣ１５０Ｖ以上の直流電圧を供給するように構成されている。ＤＣ／ＤＣコンバータ５０にはリチウムイオン電池で構成された蓄電池４０が接続されている。ＤＣ／ＤＣコンバータ５０は蓄電池４０から直流電圧をＤＣ１５０Ｖ以上の直流電圧に昇圧して直流バスＢに出力し、直流バス電圧を降圧して蓄電池４０を充電する。つまり、ＤＣ／ＤＣコンバータ５０は昇降圧方式のスイッチングレギュレータで構成されている。
【００３１】
本実施形態では、ＡＣ／ＤＣコンバータ２０の出力電圧がＤＣ２００〜１９０Ｖ、ＤＣ／ＤＣコンバータ５０の出力電圧がＤＣ１７０Ｖに設定されている。
【００３２】
ＡＣ／ＤＣコンバータ２０、ＤＣ／ＡＣコンバータ３０、蓄電池４０、ＤＣ／ＤＣコンバータ５０には夫々にローカル制御部が設けられている。ＡＣ／ＤＣコンバータ２０のローカル制御部は、商用電源の電圧等を検知して、ＤＣ２００〜１９０Ｖの直流電圧を出力するためにＰＦＣ回路に組み込まれたスイッチングトランジスタを制御し、ＤＣ／ＡＣコンバータ３０のローカル制御部は、直流バス電圧を検知してＡＣ１００Ｖの交流電圧が出力されるようにトランジスタフルブリッジ回路をＰＷＭ制御する。
【００３３】
蓄電池４０のローカル制御部は、充放電電流をチェックして充電状態ＳＯＣを管理する。ＤＣ／ＤＣコンバータ５０のローカル制御部は、蓄電池４０を充電する場合に直流バス電圧を降圧して蓄電池４０に充電電流を供給し、蓄電池４０を放電する場合に昇圧して直流バスに給電する。
【００３４】
各ローカル制御部はシステム制御を行なう制御部６０と通信線を介して信号の授受を行ない、無停電電源装置１から安定的にＡＣ１００Ｖの交流電圧が出力されるように制御する。
【００３５】
制御部６０は、ＡＣ／ＤＣコンバータ２０の作動中に直流バスＢの電圧の低下を検知すると、直流バス電圧がＤＣ／ＡＣコンバータ３０の入力許容最低電圧、本実施形態ではＤＣ１５０Ｖに低下する前にＤＣ／ＤＣコンバータ５０を作動させて昇圧電圧を直流バスＢに出力するように制御する。
【００３６】
制御部６０は商用電源の停電を検知することなく直流バス電圧を監視し、ＡＣ／ＤＣコンバータ２０の出力電圧が低下したことを検知すると、直流バス電圧がＤＣ１５０Ｖに低下する前にＤＣ／ＤＣコンバータ５０を作動させ、瞬時的であっても無停電電源装置１から交流電圧が途切れることが無いように制御する。
【００３７】
商用電源の停電状態には、一波の停電、数サイクルの停電、電圧の瞬時低下等様々なパターンがあり、全ての状態を適切に検出することは非常に困難でまたコストも嵩む。そのため、直流バス電圧を監視することで実質的に停電状態を検知するように構成されている。
【００３８】
ＤＣ／ＤＣコンバータ５０の出力電圧である第２の直流電圧は、ＡＣ／ＤＣコンバータ２０の出力電圧である第１の直流電圧（ＤＣ２００Ｖ）よりも低い値で入力許容最低電圧ＤＣ１５０Ｖより高い値（本実施形態ではＤＣ１７０Ｖ）に設定されている。制御部６０はＡＣ／ＤＣコンバータ２０の作動中に直流バス電圧が第１の直流電圧（ＤＣ２００Ｖ）と入力許容最低電圧（ＤＣ１５０Ｖ）との間に設定された所定の下限閾値電圧Ｖｌｔｈに低下すると、ＤＣ／ＤＣコンバータ５０を作動制御するように構成されている。本実施形態では、下限閾値電圧Ｖｌｔｈが第２の直流電圧（ＤＣ１７０Ｖ）に設定されている。
【００３９】
さらに、制御部６０はＤＣ／ＤＣコンバータ５０の作動中に直流バス電圧が第２の直流電圧より高い所定の上限閾値電圧Ｖｈｔｈに上昇すると、ＤＣ／ＤＣコンバータを停止制御する。具体的に上限閾値電圧ＶｈｔｈはＤＣ１９０Ｖに設定されている。
【００４０】
ＤＣ／ＤＣコンバータ５０が作動制御されているときに、直流バス電圧が第２の直流電圧ＤＣ１７０Ｖより高い上限閾値電圧Ｖｈｔｈに上昇するとＡＣ／ＤＣコンバータ２０からの給電が復活したと判断してＤＣ／ＤＣコンバータ５０を停止制御し、蓄電池４０から不必要に給電されることが無いように保護する。
【００４１】
ＤＣ／ＤＣコンバータ５０の作動中に直流バス電圧が第２の直流電圧ＤＣ１７０Ｖより高い上限閾値電圧Ｖｈｔｈに上昇すると、所定の遅延時間ΔＴ２の経過後にＤＣ／ＤＣコンバータ５０を停止制御することが好ましい。
【００４２】
ＤＣ／ＤＣコンバータを停止制御するまでに遅延時間を設けることにより、動作の信頼性を確保することができる。例えば遅延時間の間に直流バス電圧が上限閾値電圧より低下するとＤＣ／ＤＣコンバータを継続して作動制御するのである。
【００４３】
制御部６０はＤＣ／ＤＣコンバータ５０を作動制御して所定時間ΔＴ１経過後に交流入力の停止を検知するとＡＣ／ＤＣコンバータを停止制御するように構成することが好ましい。
【００４４】
直流バス電圧が低下してＤＣ／ＤＣコンバータ５０を作動制御した後の所定時間は継続してＡＣ／ＤＣコンバータ２０が動作するので、例えば瞬時的に商用電源の電圧が低下しても所定時間の間に復活するような場合にはそのままＡＣ／ＤＣコンバータ２０を継続作動させてＤＣ／ＤＣコンバータ５０を停止することができるようになる。ＡＣ／ＤＣコンバータ２０を停止した後に再度作動する場合の電圧の立ち上がり時間が必要になるが、上述の場合には、そのような立ち上がりの遅延時間を考慮する必要がなくなる。
【００４５】
尚、この場合、ＡＣ／ＤＣコンバータ２０のローカル制御部は、商用電源の電圧を監視して、復電を検知すると速やかに制御を開始して直流バスに出力するように構成されている。
【００４６】
つまり、制御部６０によって、ＡＣ／ＤＣコンバータ２０の作動中に直流バス電圧の低下を検知すると、直流バス電圧がＤＣ／ＡＣコンバータ３０の入力許容最低電圧に低下する前にＤＣ／ＤＣコンバータ５０を作動させるように制御する。
【００４７】
図２には、直流バス電圧を監視する制御部６０の動作が示されている。
時刻ｔ１で商用電源が停電すると、ＡＣ／ＤＣコンバータ２０の出力電圧が低下する。時刻ｔ２で直流バス電圧が下限閾値電圧ＶｌｔｈであるＤＣ１７０Ｖを下回るとＤＣ／ＤＣコンバータ５０が作動制御され、時刻ｔ３で直流バス電圧がＤＣ１７０Ｖに達する。この間、直流バス電圧がＤＣ１５０Ｖを下回ることが無いように下限閾値電圧Ｖｌｔｈが設定される。
【００４８】
ＤＣ／ＤＣコンバータ５０を作動制御して所定時間ΔＴ１経過後の時刻ｔ３に交流入力の停止を検知するとＡＣ／ＤＣコンバータ２０が停止される。尚、ＡＣコンバータ２０はその後時刻ｔ４で復電を検知すると再度起動する。
【００４９】
時刻ｔ５で直流バス電圧がＤＣ１９０Ｖに達すると、遅延時間ΔＴ２の後にＤＣ／ＤＣコンバータ５０が停止する。
【００５０】
時刻ｔ７で瞬停が発生してＡＣ／ＤＣコンバータ２０の出力電圧が低下するような場合も同様に制御される。従って、商用電源の入力電圧や波形を精査しなくても直流バス電圧を監視するだけで、商用電源からの給電が途切れる虞がある場合に確実に蓄電池からの給電が可能な無停電電源装置を実現できる。
【００５１】
尚、上述した各実施形態は本発明の一例に過ぎず、本発明が上述した具体例に限定されるものではなく、本発明本発明の作用効果を奏する範囲において各ブロックの具体的構成等を適宜変更設計できることは言うまでもない。
【符号の説明】
【００５２】
１：無停電電源装置
２０：ＡＣ／ＤＣコンバータ（ＰＦＣコンバータ）
３０：ＤＣ／ＡＣコンバータ
４０：蓄電池
５０：ＤＣ／ＤＣコンバータ（昇降圧コンバータ）
Ｂ：直流バス
【図１】
2017051017.tif 000003
【図２】
2017051017.tif 000004